【手続補正書】
【提出日】平成28年7月15日(2016.7.15)
【手続補正１】
【補正対象書類名】特許請求の範囲
【補正対象項目名】全文
【補正方法】変更
【補正の内容】
【特許請求の範囲】
【請求項１】
ビデオデータを復号する方法であって、
現在ブロックがマージモードでインター予測されるか、又はスキップモードでインター予測されるかを決定することと、
前記現在ブロックがマージモードでインター予測される、又はスキップモードでインター予測されることに基づいて、
第１のオフセット値だけシフトされた、前記現在ブロックのための、視差ベクトルによって参照される参照ビュー中の参照ブロックを識別することと、
識別された前記参照ブロックのための動き情報が利用可能ではないと決定することと、
識別された前記参照ブロックの前記動き情報が利用可能ではないことに基づいて、ビュー間予測動きベクトル候補（ＩＰＭＶＣ）が前記現在ブロックのために利用可能ではないと決定することと、
前記ＩＰＭＶＣが利用可能ではないことに基づいて、ビュー間視差動きベクトル候補（ＩＤＭＶＣ）を導出し、前記ＩＤＭＶＣを前記現在ブロックのための候補リスト中に含めることと、ここにおいて、前記ＩＤＭＶＣは、前記参照ブロックを識別するために前記視差ベクトルをシフトするために使用された前記第１のオフセット値とは異なる、第２のオフセット値だけシフトされた、前記現在ブロックのための、前記視差ベクトルを備える、
前記候補リストに基づいて、前記参照ビューとは異なる、現在ビュー中の現在ピクチャ中の前記現在ブロックをインター予測復号することと
を備える方法。
【請求項２】
前記現在ブロックは第１のブロックを備え、前記視差ベクトルは第１の視差ベクトルを備え、前記候補リストは第１の候補リストを備え、前記参照ブロックは第１の参照ブロックを備え、前記参照ビューは第１の参照ビューを備え、前記方法は、
第３のオフセット値だけシフトされた、マージモードでインター予測される、又はスキップモードでインター予測される第２のブロックのための、第２の視差ベクトルによって参照される第２の参照ビュー中の第２の参照ブロックを識別することと、
前記第３のオフセット値だけシフトされた前記第２の視差ベクトルによって参照される前記第２の参照ビュー中の前記第２の参照ブロックのための動きベクトルが、前記第２のブロックのための参照ピクチャリスト中のピクチャのピクチャ順序カウント（ＰＯＣ）値に等しいＰＯＣ値をもつ前記第２の参照ビュー中のピクチャを参照する、時間動きベクトルであることに基づいて、前記第２のブロックのためのＩＰＭＶＣが利用可能であると決定することと、
前記ＩＰＭＶＣが利用可能であることに基づいて、前記第２のブロックのための前記ＩＰＭＶＣを導出することと、
前記ＩＰＭＶＣが利用可能ではないことに基づいて、前記第２のブロックのためのＩＤＭＶＣの前記導出を回避することと、ここにおいて、前記第２のブロックのためのＩＤＭＶＣは、前記第２の参照ブロックを識別するために前記第２の視差ベクトルをシフトするために使用された前記第３のオフセット値とは異なる、第４のオフセット値だけシフトされた、前記第２のブロックのための、前記第２の視差ベクトルを備える、
前記第２のブロックのための前記ＩＰＭＶＣを、前記第２のブロックのための第２の候補リスト中に含めることと、
前記第２のブロックのための前記第２の候補リストに基づいて、前記第２のブロックをインター予測復号することと
を更に備える、請求項１に記載の方法。
【請求項３】
前記現在ブロックは第１のブロックを備え、前記視差ベクトルは第１の視差ベクトルを備え、前記候補リストは第１の候補リストを備え、前記参照ブロックは第１の参照ブロックを備え、前記参照ビューは第１の参照ビューを備え、前記方法は、
高度動きベクトル予測（ＡＭＶＰ）モードでインター予測される、第２のブロックのための参照ピクチャインデックスが、時間参照ピクチャ又はビュー間参照ピクチャのうちの１つを識別すると決定することと、
前記参照ピクチャインデックスが、前記時間参照ピクチャを識別することに基づいて、
前記第２のブロックのためのＩＰＭＶＣを導出することと、ここにおいて、前記第２のブロックのための前記ＩＰＭＶＣは、第３のオフセット値だけシフトされた、前記第２のブロックのための、第２の視差ベクトルによって参照される第２の参照ビュー中の第２の参照ブロックのための動き情報を備える、
前記ＩＰＭＶＣを、前記第２のブロックのための第２の候補リスト中に含めることと、
前記第２の候補リストに基づいて、前記第２のブロックをインター予測復号することと、
前記参照ピクチャインデックスが、前記ビュー間参照ピクチャを識別することに基づいて、
前記第２のブロックのためのＩＤＭＶＣを導出することと、ここにおいて、前記第２のブロックのための前記ＩＤＭＶＣは、前記ＩＰＭＶＣが導出されていた場合に使用されていたであろう前記第３のオフセット値とは異なる、第４のオフセット値だけシフトされた、前記第２のブロックのための、前記第２の視差ベクトルを備える、
前記ＩＤＭＶＣを、前記第２のブロックのための第３の候補リスト中に含めることと、
前記第３の候補リストに基づいて、前記第２のブロックをインター予測復号することと
を更に備える、請求項１に記載の方法。
【請求項４】
前記参照ブロックは第１の参照ブロックを備え、前記現在ブロックは第１のブロックを備え、前記視差ベクトルは第１の視差ベクトルを備え、前記参照ビューは第１の参照ビューを備え、前記方法は、
マージモードでインター予測される、又はスキップモードでインター予測される第２のブロックのための第１のＩＰＭＶＣを決定することと、ここにおいて、前記第１のＩＰＭＶＣは、第３のオフセット値だけシフトされた、前記第２のブロックのための、第２の視差ベクトルによって参照される第２の参照ビュー中の第２の参照ブロックのための動き情報を備える、
前記第２のブロックのための第２のＩＰＭＶＣを決定することと、ここにおいて、前記第２のＩＰＭＶＣは、前記第２の視差ベクトルをシフトすることなしに、前記第２のブロックのための、前記第２の視差ベクトルによって参照される前記第２の参照ビュー中の第３の参照ブロックのための動き情報を備える、
前記第１のＩＰＭＶＣと、前記第２のＩＰＭＶＣとを比較することと、
前記比較が、前記第２のＩＰＭＶＣが前記第１のＩＰＭＶＣとは異なることを示すことに基づいて、前記第１のＩＰＭＶＣを、前記第２のブロックのための候補リスト中に含めることと、
前記第２のブロックのための前記候補リストに基づいて、前記第２のブロックをインター予測復号することと
を更に備える、請求項１に記載の方法。
【請求項５】
比較することは、前記第１のＩＰＭＶＣを、前記第２のＩＰＭＶＣのみと比較することを備える、請求項４に記載の方法。
【請求項６】
隣接ブロックのための視差動きベクトル、及び、隣接ブロックのための導出された視差ベクトルのうちの１つに基づいて、前記現在ブロックのための前記視差ベクトルを決定することと、
前記第１のオフセット値だけシフトされた前記視差ベクトルを決定するために、前記視差ベクトルに前記第１のオフセット値を加算すること、又は、前記視差ベクトルから前記第１のオフセット値を減算することと、
前記ＩＰＭＶＣが利用可能ではないことに基づいて、前記第２のオフセット値だけシフトされた前記視差ベクトルを決定するために、前記視差ベクトルに前記第２のオフセット値を加算すること、又は、前記視差ベクトルから前記第２のオフセット値を減算することと
を更に備える、請求項１に記載の方法。
【請求項７】
前記第２のオフセット値は、前記視差ベクトルを水平にシフトするための固定されたオフセット値を備える、請求項１に記載の方法。
【請求項８】
前記参照ブロックの前記動き情報は、動きベクトル、及び、参照ピクチャリストのための１つ又は複数の参照インデックスのうちの、少なくとも１つを備える、請求項１に記載の方法。
【請求項９】
前記方法は、
前記候補リストへのインデックスを受信すること
を更に備え、
前記現在ブロックがマージモードでインター予測されるか、又はスキップモードでインター予測されることを決定することは、前記現在ブロックがマージモードでインター予測されること、又はスキップモードでインター予測されることを示すシンタックス要素を復号することを備える、請求項１に記載の方法。
【請求項１０】
ビデオデータを復号するための機器であって、前記機器はビデオデコーダを備え、前記ビデオデコーダは、
現在ブロックがマージモードでインター予測されること、又はスキップモードでインター予測されることを決定することと、
前記現在ブロックがマージモードでインター予測されること、又はスキップモードでインター予測されることに基づいて、
第１のオフセット値だけシフトされた、前記現在ブロックのための、視差ベクトルによって参照される参照ビュー中の参照ブロックを識別することと、
前記識別された参照ブロックのための動き情報が利用可能ではないと決定することと、
前記識別された参照ブロックの前記動き情報が利用可能ではないことに基づいて、ビュー間予測動きベクトル候補（ＩＰＭＶＣ）が前記現在ブロックのために利用可能ではないと決定することと、
前記ＩＰＭＶＣが利用可能ではないことに基づいて、ビュー間視差動きベクトル候補（ＩＤＭＶＣ）を導出し、前記ＩＤＭＶＣを前記現在ブロックのための候補リスト中に含めることと、ここにおいて、前記ＩＤＭＶＣは、前記参照ブロックを識別するために前記視差ベクトルをシフトするために使用された前記第１のオフセット値とは異なる、第２のオフセット値だけシフトされた、前記現在ブロックのための、前記視差ベクトルを備える、
前記候補リストに基づいて、前記参照ビューとは異なる、現在ビュー中の現在ピクチャ中の前記現在ブロックをインター予測復号することと
を行うように構成される機器。
【請求項１１】
前記現在ブロックは第１のブロックを備え、前記視差ベクトルは第１の視差ベクトルを備え、前記候補リストは第１の候補リストを備え、前記参照ブロックは第１の参照ブロックを備え、前記参照ビューは第１の参照ビューを備え、前記ビデオデコーダは、
第３のオフセット値だけシフトされた、マージモードでインター予測されるか、又はスキップモードでインター予測される第２のブロックのための、第２の視差ベクトルによって参照される第２の参照ビュー中の第２の参照ブロックを識別することと、
前記第３のオフセット値だけシフトされた前記第２の視差ベクトルによって参照される前記第２の参照ビュー中の前記第２の参照ブロックのための動きベクトルが、前記現在ブロックのための参照ピクチャリスト中のピクチャのピクチャ順序カウント（ＰＯＣ）値に等しいＰＯＣ値をもつ前記第２の参照ビュー中のピクチャを参照する、時間動きベクトルであることに基づいて、前記第２のブロックのためのＩＰＭＶＣが利用可能であると決定することと、
前記ＩＰＭＶＣが利用可能であることに基づいて、前記第２のブロックのための前記ＩＰＭＶＣを導出することと、
前記ＩＰＭＶＣが利用可能ではないことに基づいて、前記第２のブロックのためのＩＤＭＶＣの前記導出を回避することと、ここにおいて、前記第２のブロックのためのＩＤＭＶＣは、前記第２の参照ブロックを識別するために前記第２の視差ベクトルをシフトするために使用された前記第３のオフセット値とは異なる、第４のオフセット値だけシフトされた、前記第２のブロックのための、前記第２の視差ベクトルを備える、
前記第２のブロックのための前記ＩＰＭＶＣを、前記第２のブロックのための第２の候補リスト中に含めることと、
前記第２のブロックのための前記第２の候補リストに基づいて、前記第２のブロックをインター予測復号することと
を行うように構成される、請求項１０に記載の機器。
【請求項１２】
前記現在ブロックは第１のブロックを備え、前記視差ベクトルは第１の視差ベクトルを備え、前記候補リストは第１の候補リストを備え、前記参照ブロックは第１の参照ブロックを備え、前記参照ビューは第１の参照ビューを備え、前記ビデオデコーダは、
高度動きベクトル予測（ＡＭＶＰ）モードでインター予測される、第２のブロックのための参照ピクチャインデックスが、時間参照ピクチャ又はビュー間参照ピクチャのうちの１つを識別することを決定することと、
前記参照ピクチャインデックスが、前記時間参照ピクチャを識別することに基づいて、
前記第２のブロックのためのＩＰＭＶＣを導出することと、ここにおいて、前記第２のブロックのための前記ＩＰＭＶＣは、第３のオフセット値だけシフトされた、前記第２のブロックのための、第２の視差ベクトルによって参照される第２の参照ビュー中の第２の参照ブロックのための動き情報を備える、
前記ＩＰＭＶＣを、前記第２のブロックのための第２の候補リスト中に含めることと、
前記第２の候補リストに基づいて、前記第２のブロックをインター予測復号することと、
前記参照ピクチャインデックスが、前記ビュー間参照ピクチャを識別することに基づいて、
前記第２のブロックのためのＩＤＭＶＣを導出することと、ここにおいて、前記第２のブロックのための前記ＩＤＭＶＣは、前記ＩＰＭＶＣが導出されていた場合に使用されていたであろう前記第３のオフセット値とは異なる、第４のオフセット値だけシフトされた、前記第２のブロックのための、前記第２の視差ベクトルを備える、
前記ＩＤＭＶＣを、前記第２のブロックのための第３の候補リスト中に含めることと、
前記第３の候補リストに基づいて、前記第２のブロックをインター予測復号することと
を行うように構成される、請求項１０に記載の機器。
【請求項１３】
前記参照ブロックは第１の参照ブロックを備え、前記現在ブロックは第１のブロックを備え、前記視差ベクトルは第１の視差ベクトルを備え、前記参照ビューは第１の参照ビューを備え、前記ビデオデコーダは、
マージモードでインター予測される、又はスキップモードでインター予測される第２のブロックのための第１のＩＰＭＶＣを決定することと、ここにおいて、前記第１のＩＰＭＶＣは、第３のオフセット値だけシフトされた、前記第２のブロックのための、第２の視差ベクトルによって参照される第２の参照ビュー中の第２の参照ブロックのための動き情報を備える、
前記第２のブロックのための第２のＩＰＭＶＣを決定することと、ここにおいて、前記第２のＩＰＭＶＣは、前記第２の視差ベクトルをシフトすることなしに、前記第２のブロックのための、前記第２の視差ベクトルによって参照される前記第２の参照ビュー中の第３の参照ブロックのための動き情報を備える、
前記第１のＩＰＭＶＣと、前記第２のＩＰＭＶＣとを比較することと、
前記比較が、前記第２のＩＰＭＶＣが前記第１のＩＰＭＶＣとは異なることを示すことに基づいて、前記第１のＩＰＭＶＣを、前記第２のブロックのための候補リスト中に含めることと、
前記第２のブロックのための前記候補リストに基づいて、前記第２のブロックをインター予測復号することと
を行うように構成される、請求項１０に記載の機器。
【請求項１４】
比較するために、前記ビデオデコーダは、前記第１のＩＰＭＶＣを、前記第２のＩＰＭＶＣのみと比較するように構成される、請求項１３に記載の機器。
【請求項１５】
前記ビデオデコーダは、
隣接ブロックのための視差動きベクトル、及び、隣接ブロックのための導出された視差ベクトルのうちの１つに基づいて、前記現在ブロックのための前記視差ベクトルを決定することと、
前記第１のオフセット値だけシフトされた前記視差ベクトルを決定するために、前記視差ベクトルに前記第１のオフセット値を加算すること、又は、前記視差ベクトルから前記第１のオフセット値を減算することと、
前記ＩＰＭＶＣが利用可能ではないことに基づいて、前記第２のオフセット値だけシフトされた前記視差ベクトルを決定するために、前記視差ベクトルに前記第２のオフセット値を加算すること、又は、前記視差ベクトルから前記第２のオフセット値を減算することと
を行うように構成される、請求項１０に記載の機器。
【請求項１６】
前記第２のオフセット値は、前記視差ベクトルを水平にシフトするための固定されたオフセット値を備える、請求項１０に記載の機器。
【請求項１７】
前記参照ブロックの前記動き情報は、動きベクトル、及び、参照ピクチャリストのための１つ又は複数の参照インデックスのうちの、少なくとも１つを備える、請求項１０に記載の機器。
【請求項１８】
前記ビデオデコーダは、前記候補リストへのインデックスを受信するように構成され、前記現在ブロックがマージモードでインター予測されるか、又はスキップモードでインター予測されるかを決定するために、前記ビデオデコーダは、前記現在ブロックがマージモードでインター予測されるか、又はスキップモードでインター予測されるかを示すシンタックス要素を復号するように構成される、請求項１０に記載の機器。
【請求項１９】
前記機器は、
集積回路（ＩＣ）と、
マイクロプロセッサと、
ワイヤレス通信機器と
のうちの１つを備える、請求項１０に記載の機器。
【請求項２０】
実行されたとき、ビデオデータを復号するための機器の１つ又は複数のプロセッサに、
現在ブロックがマージモードでインター予測されるか、又はスキップモードでインター予測されるかを決定することと、
前記現在ブロックがマージモードでインター予測される、又はスキップモードでインター予測されることに基づいて、
第１のオフセット値だけシフトされた、前記現在ブロックのための、視差ベクトルによって参照される参照ビュー中の参照ブロックを識別することと、
識別された前記参照ブロックのための動き情報が利用可能ではないと決定することと、
識別された前記参照ブロックの前記動き情報が利用可能ではないことに基づいて、ビュー間予測動きベクトル候補（ＩＰＭＶＣ）が前記現在ブロックのために利用可能ではないと決定することと、
前記ＩＰＭＶＣが利用可能ではないことに基づいて、ビュー間視差動きベクトル候補（ＩＤＭＶＣ）を導出し、前記ＩＤＭＶＣを前記現在ブロックのための候補リスト中に含めることと、ここにおいて、前記ＩＤＭＶＣは、前記参照ブロックを識別するために前記視差ベクトルをシフトするために使用された前記第１のオフセット値とは異なる、第２のオフセット値だけシフトされた、前記現在ブロックのための、前記視差ベクトルを備える、
前記候補リストに基づいて、前記参照ビューとは異なる、現在ビュー中の現在ピクチャ中の前記現在ブロックをインター予測復号することと
を行わせる命令を記憶した非一時的なコンピュータ可読記憶媒体。
【請求項２１】
前記参照ブロックは第１の参照ブロックを備え、前記現在ブロックは第１のブロックを備え、前記視差ベクトルは第１の視差ベクトルを備え、前記参照ビューは第１の参照ビューを備え、前記コンピュータ可読記憶媒体は、前記１つ又は複数のプロセッサに、
マージモードでインター予測される、又はスキップモードでインター予測される第２のブロックのための第１のＩＰＭＶＣを決定することと、ここにおいて、前記第１のＩＰＭＶＣは、第３のオフセット値だけシフトされた、前記第２のブロックのための、第２の視差ベクトルによって参照される第２の参照ビュー中の第２の参照ブロックのための動き情報を備える、
前記第２のブロックのための第２のＩＰＭＶＣを決定することと、ここにおいて、前記第２のＩＰＭＶＣは、前記第２の視差ベクトルをシフトすることなしに、前記第２のブロックのための、前記第２の視差ベクトルによって参照される前記第２の参照ビュー中の第３の参照ブロックのための動き情報を備える、
前記第１のＩＰＭＶＣを、前記第２のＩＰＭＶＣのみと比較することと、
前記比較が、前記第２のＩＰＭＶＣが前記第１のＩＰＭＶＣとは異なることを示すことに基づいて、前記第１のＩＰＭＶＣを、前記第２のブロックのための候補リスト中に含めることと、
前記第２のブロックのための前記候補リストに基づいて、前記第２のブロックをインター予測復号することと
を行わせる命令を更に備える、請求項２０に記載の非一時的なコンピュータ可読記憶媒体。
【請求項２２】
ビデオデータを復号するための機器であって、
現在ブロックがマージモードでインター予測されるか、又はスキップモードでインター予測されるかを決定するための手段と、
第１のオフセット値だけシフトされた、前記現在ブロックのための、視差ベクトルによって参照される参照ビュー中の参照ブロックを識別するための手段と、
識別された前記参照ブロックのための動き情報が利用可能ではないと決定するための手段と、
ビュー間予測動きベクトル候補（ＩＰＭＶＣ）が前記現在ブロックのために利用可能ではないと決定するための手段と、
前記ＩＰＭＶＣが利用可能ではないことに基づいて、ビュー間視差動きベクトル候補（ＩＤＭＶＣ）を導出し、前記ＩＤＭＶＣを前記現在ブロックのための候補リスト中に含めるための手段と、ここにおいて、前記ＩＤＭＶＣは、前記参照ブロックを識別するために前記視差ベクトルをシフトするために使用された前記第１のオフセット値とは異なる、第２のオフセット値だけシフトされた、前記現在ブロックのための、前記視差ベクトルを備える、
前記候補リストに基づいて、前記参照ビューとは異なる、現在ビュー中の現在ピクチャ中の前記現在ブロックをインター予測復号するための手段と
を備える機器。
【請求項２３】
前記参照ブロックは第１の参照ブロックを備え、前記現在ブロックは第１のブロックを備え、前記視差ベクトルは第１の視差ベクトルを備え、前記参照ビューは第１の参照ビューを備え、前記機器は、
マージモードでインター予測される、又はスキップモードでインター予測される第２のブロックのための第１のＩＰＭＶＣを決定するための手段と、ここにおいて、前記第１のＩＰＭＶＣは、第３のオフセット値だけシフトされた、前記第２のブロックのための、第２の視差ベクトルによって参照される第２の参照ビュー中の第２の参照ブロックのための動き情報を備える、
前記第２のブロックのための第２のＩＰＭＶＣを決定するための手段と、ここにおいて、前記第２のＩＰＭＶＣは、前記第２の視差ベクトルをシフトすることなしに、前記第２のブロックのための、前記第２の視差ベクトルによって参照される前記第２の参照ビュー中の第３の参照ブロックのための動き情報を備える、
前記第１のＩＰＭＶＣを、前記第２のＩＰＭＶＣのみと比較するための手段と、
前記比較が、前記第２のＩＰＭＶＣが前記第１のＩＰＭＶＣとは異なることを示すことに基づいて、前記第１のＩＰＭＶＣを、前記第２のブロックのための候補リスト中に含めるための手段と、
前記第２のブロックのための前記候補リストに基づいて、前記第２のブロックをインター予測復号するための手段と
を更に備える、請求項２２に記載の機器。
【請求項２４】
ビデオデータを符号化するための機器であって、前記機器はビデオエンコーダを備え、前記ビデオエンコーダは、
現在ブロックがマージモードでインター予測されること、又はスキップモードでインター予測されることを決定することと、
前記現在ブロックがマージモードでインター予測されること、又はスキップモードでインター予測されることに基づいて、
第１のオフセット値だけシフトされた、前記現在ブロックのための、視差ベクトルによって参照される参照ビュー中の参照ブロックを識別することと、
前記識別された参照ブロックのための動き情報が利用可能ではないと決定することと、
前記識別された参照ブロックの前記動き情報が利用可能ではないことに基づいて、ビュー間予測動きベクトル候補（ＩＰＭＶＣ）が前記現在ブロックのために利用可能ではないと決定することと、
前記ＩＰＭＶＣが利用可能ではないことに基づいて、ビュー間視差動きベクトル候補（ＩＤＭＶＣ）を導出し、前記ＩＤＭＶＣを前記現在ブロックのための候補リスト中に含めることと、ここにおいて、前記ＩＤＭＶＣは、前記参照ブロックを識別するために前記視差ベクトルをシフトするために使用された前記第１のオフセット値とは異なる、第２のオフセット値だけシフトされた、前記現在ブロックのための、前記視差ベクトルを備える、
前記候補リストに基づいて、前記参照ビューとは異なる、現在ビュー中の現在ピクチャ中の前記現在ブロックをインター予測符号化することと
を行うように構成される機器。